(57)【要約】【課題】従来の支持手段の取り付け方法を改良する。【解決手段】エレベータケージ（２０）がエレベータ昇降路（１０）の昇降路下方区域に設けられる。支持手段（３０）がエレベータ昇降路（１０）の中に導入され、エレベータケージ（２０）の底部に配置されたケージ偏向ローラ（２４．１、２４．２）のまわりに案内される。残りの支持手段（３０）がその両端部によって、エレベータケージ（２０）の作業プラットフォーム（２６）の区域に格納される。エレベータケージ（２０）が昇降路上方区域へと持ち上げられる。第１の端部が第１の連結ポイント（１６）に固定される。第２の端部が牽引プーリ（１２）のまわりに案内される。牽引プーリ（１２）と第２の端部の間のループが昇降路下方区域に降ろされ、釣り合いおもり（３２）を含む釣り合いおもり偏向手段（３４）がループに懸吊される。第２の端部が第２の連結点（１８）に取り付けられる。【選択図】図１
2007099515.tif 000002
【特許請求の範囲】
【請求項１】
取り付けステップがいくつかの昇降路区域で作業プラットフォーム（２６）から実施される、支持ベルト（３０）をエレベータ設備（１）に取り付ける方法において、
・  作業プラットフォーム（２６）を備えたケージ偏向ローラ（２４．１、２４．２）が昇降路下方区域に設けられ、支持ベルト（３０）がケージ偏向ローラ（２４．１、２４．２）のまわりに案内され、作業プラットフォーム（２６）の区域に格納され、
・  支持ベルト（３０）が、第１の端部（３０．１）によって第１の接続点（１６）に固定され、第２の端部（３０．２）によって牽引プーリ（１２）のまわりに案内され、昇降路下方区域にループ（３０．４）として残され、釣り合いおもり（３２）を備えた釣り合いおもり偏向手段（３４）によってそこに連結され、第２の端部（３０．２）によって第２の連結点（１８）に取り付けられる方法であって、
脱線保護手段（２５）がケージ偏向ローラ（２４）の区域に取り付けられ、この脱線保護手段（２５）が、支持ベルト（３０）が、径方向だけでなく横方向に軌道を外れることからも保護し、脱線保護手段（２５）が、支持ベルトを据え付ける目的で、作業プラットフォーム（２６）が昇降路下方区域に設置されるときに取り付けられること特徴とする、方法。
【請求項２】
作業プラットフォーム（２６）がエレベータケージ（２０）の少なくとも１つの構造物を備え、ケージ偏向ローラ（２４）がエレベータケージ（２０）の下方区域に配置されることを特徴とする、請求項１に記載の方法。
【請求項３】
支持ベルト（３０）の表面が、溝が移動方向に対して横方向または縦方向に延在する溝付面（３０．１）として形成され、支持ベルト（３０）が、溝付面（３０．１）が牽引プーリ（１２）だけでなく、ケージ偏向ローラ（２４）とも係合するように、牽引プーリ（１２）と隣接するケージ偏向ローラ（２４）との間の縦方向中心軸のまわりで捻られることを特徴とする、請求項１または２に記載の方法。
【請求項４】
さらなる脱線保護手段（２５）が釣り合いおもり偏向手段（３４）および／または駆動プーリ（１２）の区域に取り付けられること、また支持ベルト（３０）が、脱線保護手段（２５）によって、径方向だけでなく横方向に軌道を外れることから保護されることを特徴とする、請求項１から３の一項に記載の方法。
【請求項５】
脱線保護手段（２５）が静止位置で、エレベータケージ（２０）および／または釣り合いおもり偏向手段（３４）および／または駆動プーリ（１２）に配置されることを特徴とする、請求項４に記載の方法。
【請求項６】
作業プラットフォーム（２６）が、昇降路内で移動するために補助巻上機（１４）に結合され、作業プラットフォーム（２６）が、支持ベルト（３０）が作業プラットフォーム（２６）の区域に格納された後、補助巻上機（１４）によって昇降路上方区域の中に取り込まれ、支持手段（３０）の取り付け後、作業プラットフォーム（２６）が補助巻上機（１４）から分離され、支持ベルト（３０）によって支持されることを特徴とする、請求項１から５のいずれか一項に記載の方法。
【請求項７】
牽引プーリ（１２）、連結点（１６、１８）、および好ましくは補助巻上機（１４）が昇降路上方区域に配置され、支持ベルト（３０）が第１の連結点（１６）によって、および／または第２の連結点（１８）によって固定されることを特徴とする、請求項１から６のいずれか一項に記載の方法。
【請求項８】
取り付けられた状態で実質的に並行に延びる、さらなる複数の支持ベルト（３０）が一緒に取り付けられることを特徴とする、請求項１から７のいずれか１項に記載の方法。
【発明の詳細な説明】
【技術分野】
【０００１】
本発明は、独立請求項１の導入部による支持手段の取り付け方法に関する。
【背景技術】
【０００２】
エレベータ設備を取り付ける装置および方法は、欧州特許出願第０５０６３２３．８号明細書から知られており、ここでは、以前までの取り付け方法から離脱して、特別の足場または補助プラットフォームがもはや必要とされない。この欧州特許出願によると、支持手段はエレベータ昇降路に上から取り付けられるが、エレベータケージは、エレベータ昇降路の上方区域に予め（事前）取り付けされる。しかし、この方法は、支持ローラがエレベータケージの上に配置されたときにしか使用できない。
【０００３】
しかし現在では、エレベータケージが支持手段によって下に吊るされるエレベータ設備も益々使用されている。このような構成では、ケージ偏向ローラが、一般的にエレベータケージの下側に、即ちケージ床の区域でエレベータケージの下に着座される。支持手段を取り付ける際には、後者をエレベータケージの下でケージ偏向ローラのまわりに案内し、またはそれらの中に「通し架け」しなければならない。したがって、欧州特許出願の記載による手段と方法の使用は、もはや問題にならない。この目的のための方法が欧州特許第０９０４２４７号明細書に示されているが、そこではケージが下方取り付け位置に配設される際に、支持手段がケージ側に事前取り付けされる。この方法で不利なのは、ケージを上方取り付け位置に引き上げる間、支持手段を引張状態に保って、支持手段が、偏向によってケージの下に与えられた溝に留まるようにしなければならないという点である。これは困難であり、誤りを生じやすい。
【特許文献１】欧州特許出願第０５０６３２３．８号明細書
【特許文献２】欧州特許第０９０４２４７号明細書
【発明の開示】
【発明が解決しようとする課題】
【０００４】
したがって、本発明の目的は、序文で述べた支持手段の取り付け方法を改良することであって、下に吊るしたエレベータケージを備えたエレベータ設備の支持手段を、最初の取り付け時に、または点検作業と併せて、より簡単な、エラーを起こしても事故につながりにくい、より効率的なやり方で、取り付けることができるように改良することである。
【課題を解決するための手段】
【０００５】
本発明によれば、この目的は独立請求項１の特徴付け部分の特色によって達成される。
【０００６】
本発明による方法の有利な展開が、特許請求項１に従属する本特許請求項によって規定される。
【０００７】
支持手段をエレベータ設備のエレベータ昇降路に取り付けるのに、従来的には、作業プラットフォームを備えた補助足場を、様々な必要な高さに建て、その後また取り外さなければばらないが、本発明による方法では、エレベータケージ自体に形成され、またはエレベータケージの一部である、高さ調節可能な単一の作業プラットフォームを使用する。この関係で、エレベータケージを完全に取り付ける必要さえもない。エレベータケージが構造形態として存在し、ケージ偏向ローラならびに一形態の作業プラットフォームを備えた少なくとも１つの下部方面または下方構造部を有していれば十分である。このように形成された作業プラットフォームの高さ調節は、エレベータ昇降路で効果的な補助巻上機の助けを得て行うのが好ましい。例えば併行出願の欧州特許出願第０５１０６３２３．８号明細書で述べられているような方法に従って、それまでのステップで案内レールが取り付けられている場合、このような補助巻上機は、既に昇降路内に存在している可能性がある。
【０００８】
エレベータケージは、必要な取り付けステップのために補助巻上機に一時的に結合され、取り付けが完了すると、即ち支持手段によって支持できるようになると、補助巻上機から分離される。補助巻上機およびその取付けポイントに過度に強く負荷が掛からないように、支持手段として、スチール・ケーブルよりも実質的に軽量の支持ベルトを有利に使用することができる。さらに、軽量支持ベルトはより取り扱い易く、本発明の方法のおかげで、組み立て要員を、理想的な場合は１人だけに縮小することができる。これは、エレベータケージの引き上げ中に、ベルトが軌道を外れるのを脱線保護手段が効果的に防止するという事実によって可能になる。
【０００９】
この方法によって取り付けられるエレベータ設備および支持手段は、短時間で取り付けられ、取り付けも簡単に点検することができる。
【００１０】
本発明を、例示および概略図を参照して以下に詳しく述べる。
【００１１】
同じかつ類似の、または同じ効果を有する構成要素には、全ての図面で同じ参照符号を付してある。
【発明を実施するための最良の形態】
【００１２】
図１はエレベータ設備１を示す。エレベータ設備１は、ここに図示する例では床１０．１、側壁１０．２、１０．３、および天井１０．４によって周囲を囲まれる、エレベータ昇降路１０を備える。牽引プーリ１２と、ここに概略的に図示する補助巻上機１４と、ベルト形状支持手段３０用の第１の連結ポイント１６および第２の連結ポイント１８とが、エレベータ昇降路１０内に設けられる。
【００１３】
牽引プーリ１２は、静止位置で回転可能に取り付けられ、従来通りの方法で駆動可能である。牽引プーリ１２は、駆動域として、駆動ユニットの昇降路内に直接組み込まれることが好ましい。
【００１４】
本実施例では、補助巻上機１４は、エレベータ昇降路１０の天井１０．４に固定される。次いで取り付け時に、補助巻上機１４を使用して、エレベータケージ２０を担持し、所与の事例では、点検作業がエレベータ昇降路１で行われ、この関係で、エレベータケージ２０は（未だ）支持手段３０によって支持されない。所与の事例では、補助巻上機１４を事前に有益に使用して、エレベータ設備１の他の構成要素（例えば案内レール）の取り付けをし易くすることができる。取り付けが終了すると、補助巻上機１４を取り外すことができるが、非常用に、ある程度余分の支持駆動手段としてエレベータ昇降路１０内に残しておくこともできる。昇降路の最上区域に取り付けられる滑車（ｂｌｏｃｋ−ａｎｄ−ｔａｃｋｌｅ）装置は、補助巻上機１４として使用するのが好ましい。昇降路の最下区域に配置される流体ホイスト（例えば油圧システム）を使用すること、または建設クレーンを使用することも可能である。
【００１５】
エレベータ設備１は、既に述べたエレベータケージ２０をさらに備える。エレベータケージ２０は、少なくとも構造形態で存在する。エレベータケージ２０の最終的完成は後で行われることができる。エレベータケージ２０は、第１のケージ偏向ローラ２４．１と第２のケージ偏向ローラ２４．２が配置された、下面２２を備えた床板または下方構造部、ならびに、本実施例ではある種の作業プラットフォーム２６を形成する天井板（または上方構造部）を有する。エレベータケージ２０の現構造形態が未だ側壁を組み込んでいない場合、作業プラットフォーム２６は、エレベータケージ２０の床板によって形成することもできる。
【００１６】
エレベータケージ２０は、補助巻上機１４に結合することができ、これによってエレベータ昇降路１０内で上向きおよび下向きに変位可能である。エレベータケージ２０は、図１で昇降路上方域内に示されている。
【００１７】
さらに上に述べた支持手段２０、釣り合いおもり３２、および釣り合いおもり偏向手段３４もエレベータ設備１に属する。支持手段３０は、１つ以上の支持ベルトによって形成され、これも同様に３０によって示される。支持手段または各支持手段３０それぞれは、細長く、柔軟であり、取り付けられた状態で第１の連結ポイント１６に取り付けられる第１の端部３０．１、ならびに取り付けられた状態で第２の連結ポイント１８に取り付けられる第２の端部３０．２を有する。
【００１８】
支持手段３０は、取り付けられた状態で第１の連結ポイント１６からエレベータ昇降路１０の側壁１０．２に沿って下に延在し、ケージ偏向ローラ２４．１によって偏向され、エレベータケージ２０の下に案内され、その後さらにケージ偏向ローラ２４．２によって偏向され、エレベータ昇降路２０の側壁１０．３に沿って上向きに、牽引プーリ１２へと案内される。牽引プーリ１２から、支持手段は、ループ３０．４で第２の連結ポイント１８へと延在する。釣り合いおもり３２が取り付けられた釣り合いおもり偏向手段３４が、ループ３０．４に配設される。
【００１９】
支持手段３０は、実質的に１つ以上の支持ベルトからなるが、それらも同様に３０によって示される。各支持ベルト３０はそれぞれ、２つのベルト表面を有する。連結ポイント１６、１８、ケージ偏向ローラ２４．１、２４．２、牽引プーリ１２、および釣り合いおもり偏向手段３４の構造は、支持ベルトの本数およびその構造に対応する。
【００２０】
支持ベルト３０の１つのベルト表面は、図８によれば、通常、支持ベルト３０の動きの方向に対して横方向または縦方向に延びる溝を備えた、構造化ベルト表面３０．１であることが好ましい。支持ベルト３０は、その構造化ベルト表面３０．１が、偏向回転装置で、即ちケージ偏向ローラ２４．１、２４．２で、また駆動作用プーリ１２（また所与の事例では釣り合いおもり偏向手段３４）で、常にそれぞれの偏向回転装置に面し、それに支承され、またはそれと係合するように配置される。これは、図７で示すように、支持ベルト３０が動くとその回転の反対に回転する２つの偏向回転装置の間の支持ベルト３０が、その縦方向中心軸のまわりで１８０°捻られるという事実による。その種類のベルトは、それが軽量であり、また構造化ベルト表面３０．１がベルトの位置合わせの簡単な点検を可能にすることから、簡単に取り付けることができる。
【００２１】
エレベータ設備１は、支持手段３０を伸張する伸張装置４０をさらに備える。伸張装置４０は、第１の連結ポイントおよび／または第２の連結ポイント１８の区域に設けられる。図８は、２本の支持ベルト３０用の、またそれらを備えた、伸張装置４０を有する連結ポイント１６、１８の実施例を示す。伸張は、ねじ装置（例えばスピンドルおよびカウンタナット）の助けを借りて実施される。
【００２２】
図９は、２本の支持ベルト３０を駆動するように構築された駆動プーリ１２の一部を示す。これらの支持手段３０のうち、１つだけを図９に示す。支持ベルト３０の走行部３０．５は、ケージ偏向ローラ２４．２から上向きに駆動プーリ１２に、次いで駆動プーリ１２から走行部３０．６として釣り合いおもり偏向手段３４に延びる。図９から、構造化ベルト表面３０．１が駆動プーリ１２と係合するのが明らかである。
【００２３】
この取り付け方法の個々のステップを以下に詳しく述べる。それらのステップのいくつかの順序は、絶対にここに述べる通りとは限らない。それは個々の配置によって、特定の取り付けステップを異なった順序で、または同時に実施することができるからである。
【００２４】
最初にエレベータケージ２０がエレベータ昇降路１０の中にもたらされ、またはそこで組み立てられ、一時的に補助巻上機１４で懸吊される。エレベータケージ２０は、後続の方法ステップのために、昇降路の下方区域、しかし完全に底部ではなく、正確にはケージ偏向ローラ２４．１、２４．２への必要なアクセスがある高さ位置（図２の間隔Ａ）に位置する。ケージ偏向ローラ２４．１、２４．２の軸は、この関係で、例えばエレベータ昇降路１０の床１０．１から約Ａ＝１７００ミリメートルのところにあってよい。
【００２５】
次いで支持手段３０がエレベータ昇降路１０の中にもたらされ、エレベータケージ２０の作業プラットフォーム２６上またはその区域内に格納される。支持手段３０は、次いでケージ偏向ローラ２４．１、２４．２のまわりに案内される。最初に支持手段３０をケージ偏向ローラ２４．１、２４．２のまわりに案内し、次いで支持手段３０をエレベータケージ２０に格納することも可能である。支持手段３０の残りの部分は、特に第１の端部３０．１と第２の端部３０．２が作業プラットフォーム２６にある状態、または作業プラットフォームから到達可能である状態で、仮にエレベータケージ２０に格納されたままとなる。先に述べた方法ステップを実行した後の、取り付けの中間の状態が図２から明らかである。
【００２６】
先に述べた方法ステップが、全ての支持手段３０に対して、即ち各支持ベルトそれぞれについて実施される。
【００２７】
支持手段３０が緩んでいる間に支持手段が軌道を外れるのを防止する脱線保護手段２５は、ケージ偏向ローラ２４．１、２４．２の実施例として図６で示すように、ケージ偏向ローラ２４．１、２４．２に取り付けられる。脱線保護手段２５は、静止するように、即ち偏向ローラのハウジングに有利に取り付けられる。脱線保護手段２５は、支持手段３０の横方向の滑りを防止する側方案内部２５．１と、支持手段が径方向に緩むのを防止する径方向案内部２５．２とを備える。支持手段３０の据え付け中は、支持手段が（未だ）伸張されていないので、支持手段の緩みが必然的に生じる。しかし支持手段の緩みは、例えばエレベータケージ２０が、通常存在する端部衝突緩衝器と衝突して、支持手段３０の一時的な除荷が起こった場合などには、動作中にも生じる。図６では、脱線保護手段２５の取り付け設定を右側に、その端部設定２５ａを左側に示しており、完了後の取り付けが明らかである。この脱線保護手段は、偏向ローラ２４．１、２４．２と係合して配設された長手方向の溝付面を備えた支持手段を使用すれば、特に簡単な形で実現することができる。この関係で、脱線保護手段は、単に支持手段が径方向に緩むのを防止するだけである。これによって横方向の変位は防止されるが、それは偏向ローラの対応する対向溝と係合するベルトの長手方向溝が、これを防止するからである。
【００２８】
最後に図３によるエレベータケージ２０が、補助巻上機１４によって昇降路上方区域の中に引き上げられるが、頂部までの全体ではなく、正確には、組み立て要員が作業プラットフォーム２６およびエレベータケージ２０で活動するのを可能にする高さ位置である。この関係で、エレベータケージ２０は、例えば、到達可能な最も高いステーションの約１０５０ミリメートル下（図３の間隔Ｂ）にその床が配設される高さ位置に引き上げられる。次いで支持手段３０の第１の端部３０．１が、第１の連結点１６に取り付けられる。ここで言及する間隔ＡおよびＢの固定は、エレベータ設備１の実際の構造および大きさを考慮して実施される。本特許出願に併せてここに提示する詳細は、実施形態の具体的形態の例である。
【００２９】
その後直ぐ、図４によって、第２の端部３０．２が固定され、ケージ偏向ローラ２４．２と支持手段３０の第２の端部３０．２との間にある支持手段３０の一部が、有利にはエレベータ昇降路１０内でループ３０．３に降ろされるが、これは、この手順中に、支持手段の望ましくない捻りがより起こり易く、それに続いて第２の端部３０．２が牽引プーリ１２のまわりに案内されるためである。この関係で、支持手段３０または支持ベルト３０は、目標の方法によってケージ偏向ローラ２４．２と牽引プーリ１２の間で、好ましくは１８０°捻られる。支持手段３０の第２の端部３０．２は、第２の連結点１８にまたはケージ２０に一時的に固定することができる。
【００３０】
そのような方法で取り付けられた支持手段は、１人の要員によって簡単に取り付けることができる。
【００３１】
エレベータケージ２０から見て、ここで第２のループ３０．４は、牽引プーリ１２のいずれかの側でエレベータ昇降路１０の昇降路下方区域の中に降ろされ、特に、それによって、エレベータ昇降路１０の側壁１０．３により接近したその走行部３０．６および３０．７（図９、および図１０も参照されたい）が、この側壁１０の可能な取付用構造物の中に案内されるようになる。図５で示すように、このループ３０．４は、支持手段３０の駆動プーリ１２と第２の端部３０．２との間で形成される。側壁１０の取付用構造物は、例えば、ケージ案内部の固定を可能にするように釣り合いおもり３２のまわりに案内されるブラケットである。
【００３２】
第１のループ３０．３は、第２のループ３０．４の降下とともに引き上げられることが明らかである。
【００３３】
脱線保護手段は、先に説明したように、支持手段３０のケージ偏向ローラ２４．１、２４．２への取り付けのために、支持手段の偏向区域の駆動プーリ１２に有利に取り付けられる。この脱線保護手段（図示せず）は、支持手段３０が緩んだ場合に支持手段が軌道を外れることを防止する。支持手段３０の案内機能は、エレベータ設備１の通常動作で、駆動プーリ１２または駆動域と係合して配設された構造化ベルト表面３０．１によって行われる。例えば釣り合いおもり３２またはエレベータケージ３０が外れることから支持手段の緩みが起こる場合、構造化ベルト表面３０．１は一時的に駆動プーリ１２と、もはや係合しなくなる。この瞬間に、脱線保護手段は、支持手段３０の変位を防止する。例としてここに図示するように、図６のケージ偏向ローラ２４．１のこの脱線支持手段が静止位置に取り付けられる場合、特に有利である。このような脱線保護手段が使用される場合、駆動プーリ１２または偏向ローラは、小さな寸法で実行することができる。駆動プーリは、例えば突出ショルダなしで昇降路またはローラに直接組み込むことができる。
【００３４】
ここでエレベータケージ２０は、昇降路の上方区域に残されることが好ましく、昇降路の下方区域では釣り合いおもり偏向手段３４が第２のループ３０．４に据え付けられ、釣り合いおもり３２が懸吊される。エレベータケージ２０が昇降路上方区域に配設されるので、釣り合いおもり３２および釣り合いおもり偏向手段３４を備えたループ３０．４が昇降路下方区域に吊り下がる。この取り付けの中間の状態は図５から明らかである。同じ作業ステップで、可能な脱線保護手段を釣り合いおもり偏向手段３４に取り付けることが好ましい。
【００３５】
エレベータ昇降路１０内のループ３０．４の降下中に、小型のおもりを支持手段３０に一時的に固定して、支持手段３０がエレベータ昇降路１０で十分下に吊り下がることを保証することが可能である。このステップは任意である。
【００３６】
次に、支持手段３０の第２の端部３０．２の、昇降路上方区域に配設された第２の連結点１８への取り付けと、支持手段３０の伸張とが行われる。連結点１６、１８は、支持手段（３０）の耐荷力を周囲の構造物の中に導入する。連結点１６、１８は、例えばエレベータ昇降路の壁に固定され、または案内レールに配置され、または駆動部の構造物に連結される。
【００３７】
このステップの後、エレベータケージ２０は支持手段３０によって支持され、したがって補助巻上機１４から切り離すことができる。ここで達成された最終的な取り付け状態は、図１に示す状態に相当する。
【００３８】
図１０は、２つの支持ベルト３０によって形成される支持手段を、釣り合いおもり偏向手段３４を受け取ることを目的とするループ３０．４の区域に示す。図１０では、この釣り合いおもり偏向手段３４は、まだループ３０．４の中に配設されていない。釣り合いおもり偏向手段３４は、釣り合いおもり３２での取り付けの前にループ３０．４の中に導入される。図１０を参照されたい。
【００３９】
この新しい方法は、エレベータケージ２０自体を作業プラットフォームとして使用して、一時的に据え付けるための作業プラットフォームまたは足場の必要がないようにすることから、取り付けを実質的に簡略化する。しかしこの関係で、必要な安全措置を取らなくてはならず、即ちレール敷き、または落下防止保護手段を、高さ調節可能な作業プラットフォーム２６の区域に設けなければならない。この新しい方法は、特に、実質的に軽量であり、したがってスチールケーブルよりも取り扱いが簡単な支持ベルトを、支持手段３０として使用するという点で可能となり、この方法は支持ベルトの取り付けに１人の要員しか必要としない。
【００４０】
さらにこのやり方で取り付けられたエレベータ設備は、簡単な形で点検することができる。支持ベルトの形態の支持手段は軽量であり、昇降路内の配置を簡単な形で点検することができて、それによって例えば支持ベルトの反転を容易に検出し、したがって回避することができる。これは、全体として、短時間での、またエレベータ昇降路または建物内の高コストの補助構造物を使用しない、エレベータ設備の組み立てを可能にする。
【図面の簡単な説明】
【００４１】
【図１】完全に取り付けられた状態におけるエレベータ設備の、横側からの簡略図である。
【図２】第１の取り付け中間状態におけるエレベータ設備の、図１と同様の図である。
【図３】第２の取り付け中間状態におけるエレベータ設備の、図１および図２と同様の図である。
【図４】第３の取り付け中間状態におけるエレベータ設備の、図１から図３と同様の図である。
【図５】第４の取り付け中間状態におけるエレベータ設備の、図１から図４と同様の図である。
【図６】脱線保護手段が取り付けられたケージ偏向ローラの区域での支持手段の案内を示す図である。
【図７】取り付けられた状態における、支持ベルトとして構築された支持手段の簡略線図である。
【図８】締め付け装置を備えた、２本の支持ベルトからなる支持手段の連結点の略図である。
【図９】本発明による、２本の並行に延びる取り付けられた支持ベルトを備えた駆動プーリの一部の略図である。
【図１０】本発明によって、釣り合いおもりを２本の平行に延びる支持ベルトに連結するための固定／懸吊手段の一部を示す図である。
【符号の説明】
【００４２】
１  エレベータ設備
１０  エレベータ昇降路
１０．１  床
１０．２、１０．３  側壁
１０．４  天井
１２  牽引プーリ
１４  補助巻上機
１６  第１連結ポイント
１８  第２連結ポイント
２０  エレベータケージ
２２  下面
２４．１  第１ケージ偏向ローラ
２４．２  第２ケージ偏向ローラ
２５  脱線保護手段
２５．１  側方案内部
２５．２  径方向案内部
２５ａ  端部設定
２６  作業プラットフォーム
３０  支持手段
３０．１  第１端部
３０．２  第２端部
３０．３  第１ループ
３０．４  第２ループ
３０．５、３０．６  走行部
３２  釣り合いおもり
３４  釣り合いおもり偏向手段
４０  伸張装置
【図１】
2007099515.tif 000003
【図２】
2007099515.tif 000004
【図３】
2007099515.tif 000005
【図４】
2007099515.tif 000006
【図５】
2007099515.tif 000007
【図６】
2007099515.tif 000008
【図７】
2007099515.tif 000009
【図８】
2007099515.tif 000010
【図９】
2007099515.tif 000011
【図１０】
2007099515.tif 000012
【外国語明細書】
2007099515.tif 000013
2007099515.tif 000014
2007099515.tif 000015
2007099515.tif 000016
2007099515.tif 000017
2007099515.tif 000018
2007099515.tif 000019
2007099515.tif 000020
2007099515.tif 000021
2007099515.tif 000022
2007099515.tif 000023
2007099515.tif 000024
2007099515.tif 000025
2007099515.tif 000026
2007099515.tif 000027
2007099515.tif 000028
2007099515.tif 000029
2007099515.tif 000030
2007099515.tif 000031